(57)【要約】 【課題】  主電源により充電可能なバックアップ電池を備えリモートコントローラから受信したタイマー予約データを記憶保持する記憶部を有し、タイマー予約データに基づく予約時刻に主電源からの電力供給を受けて信号の記録動作を開始する記録装置において、バックアップ電池が確実に充電される電力供給を効率よく供給することを目的とする。【解決手段】  記録装置１に主電源から電力を供給する電源回路を有するセットトップボックス２と、セットトップボックス２に設けられたリモートコントローラ４からのタイマー予約データを受信する受信部２７と、セットトップボックス２に設けられ、受信部２６で受信されたタイマー予約データに基づき記録装置１に対して予約時刻までは断続的にバックアップ電池１８の充電のための電源供給を行ない、予約時刻による記録装置１の記録動作期間中は主電源からの電力供給を継続する制御部２８とを備え、バックアップ電池１８の充電のための期間と記録動作中に電力供給を行なうようにする。  【選択図】    図３
2005347994.tif 000002
【特許請求の範囲】
【請求項１】
主電源により充電可能なバックアップ電池を備えリモートコントローラから受信したタ
イマー予約データを記憶保持する記憶部を有し、該タイマー予約データに基づく予約時刻に該主電源からの電力供給を受けて信号の記録動作を開始する記録装置と、
前記記録装置に前記主電源から電力を供給する電源回路を有するセットトップボックスと、
前記セットトップボックスに設けられた前記リモートコントローラからの前記タイマー予約データを受信する受信部と、
前記セットトップボックスに設けられ、前記受信部で受信された前記タイマー予約データに基づき前記記録装置に対して前記予約時刻までは断続的に前記バックアップ電池の充電のための電源供給を行い、該予約時刻による該記録装置の記録動作期間中は該主電源からの電力供給を継続する制御部とを備えてなることを特徴とするタイマー予約システム。
【請求項２】
主電源により充電可能なバックアップ電池を備えタイマー予約データを記憶保持する記
憶部を有し、該タイマー予約データに基づく予約時刻に該主電源から電力供給を受けて動作を開始する電子機器と、
前記電子機器に前記主電源から電力を供給する電源回路を有する制御機器と、
前記制御機器に設けた前記タイマー予約データに基づき前記電子機器に対して前記予約時刻までは断続的に前記バックアップ電池の充電のために前記主電源から電力供給を行い、該予約時刻による該電子機器の動作期間中は該主電源の電力供給を継続する制御部とを備えてなることを特徴とするタイマー予約システム。  
【請求項３】
主電源により充電可能なバックアップ電池を備えタイマー予約データを記憶保持する記
憶部を有し、該タイマー予約データに基づく予約時刻に該主電源から電力供給を受けて信号の記録動作を開始する記録装置と、
前記記録装置に前記主電源から電力を供給する電源回路を有するセットトップボックスと、
前記セットトップボックスに設けられ、前記タイマー予約データに基づき前記記録装置に対して前記予約時刻までは断続的に前記バックアップ電池の充電のための電力供給を行い、該予約時刻による該記録装置の記録動作期間中は該主電源からの電力供給を継続する制御部とを備えてなることを特徴とするタイマー予約システム。
【請求項４】
主電源により充電可能なバックアップ電池を備えリモートコントローラからのタイマー
予約データを記録装置の記憶部に記憶保持し、該タイマー予約データに基づく予約時刻に該主電源からの電力供給を受けて該記憶装置による信号の記録動作の開始を設定する段階と、
前記タイマー予約データを同時にセットトップボックスで得て、該タイマー予約データに基づき前記記録装置に対して前記予約時刻までは断続的に前記バックアップ電池の充電のための前記主電源の電力供給を行う段階と、
前記予約時刻による前記記録装置の記録動作期間中は前記主電源からの電力供給を継続する段階とを備えてなることを特徴とするタイマー予約方法。
【請求項５】
主電源により充電可能なバックアップ電池を備えタイマー予約データを電子機器の記憶
部に記憶保持し、該タイマー予約データに基づく予約時刻に該主電源からの電力供給を受けて該電子機器による動作の開始を設定する段階と、
前記タイマー予約データを制御機器で得て、該タイマー予約データに基づき前記電子機器に対して前記予約時刻までは断続的に前記バックアップ電池の充電のための前記主電源の電力供給を行う段階と、
前記予約時刻による前記電子機器の動作期間中は前記主電源からの電力供給を継続する段階とを備えてなることを特徴とするタイマー予約方法。
【請求項６】
主電源により充電可能なバックアップ電池を備えタイマー予約データを記録装置の記憶
部に記憶保持し、該タイマー予約データに基づく予約時刻に該主電源からの電力供給を受けて該記憶装置による信号の記録動作の開始を設定する段階と、
前記タイマー予約データをセットトップボックスで得て、該タイマー予約データに基づき前記記録装置に対して前記予約時刻までは断続的に前記バックアップ電池の充電のための前記主電源の電力供給を行う段階と、
前記予約時刻による前記記録装置の記録動作期間中は前記主電源からの電力供給を継続する段階とを備えてなることを特徴とするタイマー予約方法。
【発明の詳細な説明】
【技術分野】
【０００１】
本発明は、予め設定したタイマー予約データに基づいて電子機器を作動させるタイマー
予約システム及びその方法に関し、特に、電源電圧により充電可能なバックアップ電池を用いたタイマー予約データの記憶部を有する電子機器のためのタイマー予約システム及びその方法として好適なものである。
【背景技術】
【０００２】
近時、予め設定したタイマー予約データに基づいて電子機器を作動させるタイマー予約
システムは著しく普及されている。その代表的なものとしては、テレビジョン放送の録画システムにある。
【０００３】
従来技術としては、例えば、下記の特許文献１で示すものが提案されている。この従来技術としては、衛星デジタル用チューナ、デジタルＣＡＴＶ用チューナなど電子番組ガイド情報が付加された映像音声を受信再生すると同時に、再生した映像や音声を接続されたＶＴＲの録画制御を行なう機能を備えたセットトップボックスが在る。これは、常時はＶＴＲをスタンバイに設定し、録画対象の番組が開始される予約時刻になるとセットボックスから電源（「入」の指示）、続いて「録画」の指示を発する。これによりＶＴＲは録画状態に入り、番組が記録される。番組が終了するとセットトップボックスは「停止」、続いて電源（「切」）を出し、ＶＴＲ録画を停止させる。セットトップボックスはＶＴＲをスタンバイの状態にするのでＶＴＲのタイマー予約の実行は開始されない。つまり、ＶＴＲに予約設定された番組の録画ができなくなる。一方、タイマー予約状態にあるＶＴＲはタイマー予約を解除しない限りセットトップボックスからの指示を拒絶する。
【０００４】
そこで、この２者択一の選択を排除するために、セットトップボックスの記録装置の制御は以下の方法をとる。まず、前提としてユーザは録画したい番組を選んで予約の設定を行なったものとする。続いてＶＴＲのタイマー予約ボタンを押下し（「入」の指示）ＶＴＲを予約録画待機状態に設定する。セットトップボックスにおける録画対象の番組が開始される予約時刻になるとセットトップボックスからは制御信号光の発生手段を介してタイマー予約録画指示（「切」）、続いて録画指示を発する。これによりＶＴＲは録画状態に入り、番組が記録される。番組が終了するとセットトップボックスは停止指示にて録画を停止させ、続いてタイマー予約録画指示（この場合は「入」の指示）を出し、ＶＴＲ録画を再び録画予約状態で待機させる。このようにして、ＶＴＲに予約設定された番組の録画ができなくなるということを解決している。
【０００５】
また、従来技術としては、例えば、下記の特許文献２で示すものが提案されている。これは、ビデオテープレコーダ（以下、ＶＴＲという。）をテレビおよびディジタル放送受信機（以下、ＳＴＢという。）に接続して使用するシステムのように、リモコン装置の操作によりタイマー動作もしくはタイマー予約可能な複数の電子機器からなるシステムを構成する電子機器のタイマー予約を特定の電子機器にて一括して管理するものである。ＳＴＢはタイマー予約処理部、リモコンコード処理部、リモコンコード受信部等を備えている。ＶＴＲはリモコンコード受信部に遮光体が取り付けられている。リモコン装置から発信されるリモコンコードはＶＴＲでは受信されず、ＳＴＢで受信されて処理されるようにして一括管理が達成されるようになっている
【特許文献１】特開２０００−２５３３３８号公報（段落〔０００２〕、段落〔０００７〕）
【特許文献２】特開２０００−１８７９０２号公報（段落〔０００２〕、段落〔００２０〕、図１）
【発明の開示】
【発明が解決しようとする課題】
【０００６】
しかしながら、タイマー予約のためには、その予約データは充電可能なバックアップ電池
を有した記憶回路に記憶する方法が多くとられている。バックアップ電池は、その充電がタイマー予約時刻前に行なわなければならない場合がある。これは、予約設定時から予約時刻までの時間が長い場合に放電が進むことにより生じる。勿論、高性能な電池を採用することにより、この問題点はある程度の解決を図ることができるが、コスト的に不利であるだけでなく確実な解決には至らないという問題点があった。このような問題点は、前記特許文献１及び２で示す従来の技術によっては解決できるものでなく、タイマー予約データが、所謂、電池切れのために消滅してしまうという問題があった。
【０００７】
そこで、本発明は従来の問題点を除去したタイマー予約システムを提供することを目的とする。
【課題を解決するための手段】
【０００８】
前記課題を解決するために、本願の請求項１に係る発明は、主電源により充電可能なバ
ックアップ電池を備えリモートコントローラから受信したタイマー予約データを記憶保持する記憶部を有し、該タイマー予約データに基づく予約時刻に該主電源からの電力供給を受けて信号の記録動作を開始する記録装置と、前記記録装置に前記主電源から電力を供給する電源回路を有するセットトップボックスと、前記セットトップボックスに設けられた前記リモートコントローラからの前記タイマー予約データを受信する受信部と、前記セットトップボックスに設けられ、前記受信部で受信された前記タイマー予約データに基づき前記記録装置に対して前記予約時刻までは断続的に前記バックアップ電池の充電のための電源供給を行い、該予約時刻による該記録装置の記録動作期間中は該主電源からの電力供給を継続する制御部とを備えてなることを特徴とするタイマー予約システムである。
【０００９】
また、本願の請求項２に係る発明は、主電源により充電可能なバックアップ電池を備え
タイマー予約データを記憶保持する記憶部を有し、該タイマー予約データに基づく予約時刻に該主電源から電力供給を受けて動作を開始する電子機器（例えば、記録装置１）と、前記電子機器に前記主電源から電力を供給する電源回路を有する制御機器（例えば、セットトップボックス２）と、前記制御機器に設けた前記タイマー予約データに基づき前記電子機器に対して前記予約時刻までは断続的に前記バックアップ電池の充電のために前記主電源から電力供給を行い、該予約時刻による該電子機器の動作期間中は該主電源の電力供給を継続する制御部とを備えてなることを特徴とするタイマー予約システムである。  
【００１０】
また、本願の請求項３に係る発明は、主電源により充電可能なバックアップ電池を備え
タイマー予約データを記憶保持する記憶部を有し、該タイマー予約データに基づく予約時刻に該主電源から電力供給を受けて信号の記録動作を開始する記録装置と、前記記録装置に前記主電源から電力を供給する電源回路を有するセットトップボックスと、前記セットトップボックスに設けられ、前記タイマー予約データに基づき前記記録装置に対して前記予約時刻までは断続的に前記バックアップ電池の充電のための電力供給を行い、該予約時刻による該記録装置の記録動作期間中は該主電源からの電力供給を継続する制御部とを備えてなることを特徴とするタイマー予約システムである。
【００１１】
また、本願の請求項４に係る発明は、主電源により充電可能なバックアップ電池を備えリモートコントローラからのタイマー予約データを記録装置の記憶部に記憶保持し、該タイマー予約データに基づく予約時刻に該主電源からの電力供給を受けて該記録装置による信号の記録動作の開始を設定する段階（例えば、ステップＳ１）と、前記タイマー予約データを同時にセットトップボックスで得て、該タイマー予約データに基づき前記記録装置に対して前記予約時刻までは断続的に前記バックアップ電池の充電のための前記主電源の電力供給を行なう段階（例えば、ステップＳ４）と、前記予約時刻による前記記録装置の記録動作期間中は前記主電源からの電力供給を継続する段階（例えば、ステップＳ８）とを備えてなることを特徴とするタイマー予約方法である。
【００１２】
また、本願の請求項５に係る発明は、主電源により充電可能なバックアップ電池を備え
タイマー予約データを電子機器（例えば、記録装置１）の記憶部に記憶保持し、該タイマー予約データに基づく予約時刻に該主電源からの電力供給を受けて該電子機器による動作の開始を設定する段階（例えば、ステップＳ１）と、前記タイマー予約データを制御機器（例えば、セットトップボックス２）で得て、該タイマー予約データに基づき前記電子機器に対して前記予約時刻までは断続的に前記バックアップ電池の充電のための前記主電源の電力供給を行なう段階（例えば、ステップＳ４）と、前記予約時刻による前記電子機器の動作期間中は前記主電源からの電力供給を継続する段階（例えば、ステップＳ８）とを備えてなることを特徴とするタイマー予約方法である。
【００１３】
また、本願の請求項６に係る発明は、主電源により充電可能なバックアップ電池を備え
タイマー予約データを記録装置の記憶部に記憶保持し、該タイマー予約データに基づく予約時刻に該主電源からの電力供給を受けて該記憶装置による信号の記録動作の開始を設定する段階（例えば、ステップＳ１）と、前記タイマー予約データをセットトップボックスで得て、該タイマー予約データに基づき前記記録装置に対して前記予約時刻までは断続的に前記バックアップ電池の充電のための前記主電源の電力供給を行なう段階（例えば、ステップＳ４）と、前記予約時刻による前記記録装置の記録動作期間中は前記主電源からの電力供給を継続する段階（例えば、ステップＳ８）とを備えてなることを特徴とするタイマー予約方法である。
【発明の効果】
【００１４】
本発明は上述のような構成をとることにより以下のような効果を奏する。すなわち、本
願の請求項１に係る本発明のタイマー予約システムにおいては、主電源により充電可能なバックアップ電池を備えリモートコントローラから受信したタイマー予約データを記憶保持する記憶部が設けられ、タイマー予約データによる予約時刻に主電源から電力供給を受けて動作を開始する記録装置に対し、セットトップボックスから主電源の電力供給を行なう。この電力供給に当たり、セットトップボックスは、リモートコントローラから受信部によりタイマー予約データを受信し、制御部において制御データを作成して予約時刻までは断続的にバックアップ電池の充電のために電力供給を行ない予約時刻以降は継続して供給を行なうように制御する。そのため、以下の種々の効果を有する。
【００１５】
第一に、電池は予約時刻まで確実に充電がなされる。第二に、記録装置は予約時刻以降の動作中に電力供給が中断されることがないため、取り直しのできない番組、情報等の記録を途中で中断されてしまうという事故が生じない。第三に、同一のタイマー予約データが遠隔的に同時にセットトップボックスに供給されるので操作が簡単で確実になされる。第四に、主電源からの電力供給は、充電のためと予約時刻以降の記録のためになされて不用な時間帯には供給が停止されるので、システム全体としての消費電力が最小限になる等の効果を有する。
【００１６】
また、請求項２に係る発明のタイマー予約システムにおいては、主電源により充電可能なバックアップ電池を備えタイマー予約データを記憶保持する記憶部が設けられ、タイマー予約データによる予約時刻に主電源から電力供給を受けて動作を開始する電子機器に対し、制御機器から主電源の電力供給を行なう。この電力供給に当たり、制御機器はその制御部によって予約時刻までは断続的にバックアップ電池の充電のために電力供給を行なうように制御するので、確実に電池の充電がなされる。また、電子機器の動作中に電力供給が中断されることがないため、正常な動作が確実に達成できる。更に、主電源からの電力供給が充電のためと予約時刻以降の動作のためになされるので、システム全体としての消費電力が最小限になる等の効果を有する。
【００１７】
また、請求項3に係る本発明のタイマー予約システムにおいては、主電源により充電可
能なバックアップ電池を備えタイマー予約データを記憶保持する記憶部が設けられ、タイマー予約データによる予約時刻に主電源から電力供給を受けて動作を開始する記録装置に対し、セットトップボックスから主電源の電力供給を行なう。この電力供給に当たり、セットトップボックスは、制御部において、タイマー予約データに基づく制御データを作成して、予約時刻までは断続的にバックアップ電池の充電のために電力供給を行ない、予約時刻以降は継続して供給を行なうように制御する。そのため、以下の種々の効果を有する。
【００１８】
第一に、電池は予約時刻まで確実に充電がなされる。第二に、記録装置は予約時刻以降の動作中に電力供給が中断されることがないため、取り直しのできない番組、情報等の記録を途中で中断されてしまうという事故が生じない。第三に、同一のタイマー予約データが同時にセットトップボックスに供給されるので操作が簡単で確実になされる。第四に、主電源からの電力供給は、充電のためと予約時刻以降の記録のためになされ不用な時間帯には供給が停止されるので、システム全体としての消費電力が最小限になる等の効果を有する。
【００１９】
また、本願の請求項４に係る本発明のタイマー予約方法においては、リモートコントロ
ーラから受信したタイマー予約データを主電源により充電可能なバックアップ電池を備えた記憶部に記憶し、記録装置がセットトップボックスから主電源の電力供給を受けて記録動作を開始する。この電力供給に当たり、セットトップボックスは、リモートコントローラから受信部によりタイマー予約データを受信し、タイマー予約データに基づいて予約時刻までは断続的にバックアップ電池の充電のために電力供給を行ない、予約時刻以降は継続して供給を行なうように制御する。そのため、以下の種々の効果を有する。
【００２０】
第一に、電池は予約時刻まで確実に充電がなされる。第二に、記録装置は予約時刻以降の動作中に電力供給が中断されることがないため、取り直しのできない番組、情報等の記録を途中で中断されてしまうという事故が生じない。第三に、同一のタイマー予約データが遠隔的に同時にセットトップボックスに供給されるので操作が簡単で確実になされる。第四に、主電源からの電力供給は、充電のためと予約時刻以降の記録のためになされて不用な時間帯には供給が停止されるので、システム全体としての消費電力が最小限になる等の効果を有する。
【００２１】
また、請求項５に係る発明のタイマー予約方法においては、主電源により充電可能なバックアップ電池を備えた記憶部にタイマー予約データを記憶し、電子機器が予約時刻に制御機器から主電源の電力供給を受けて動作を開始する。この電力供給に当たり、制御機器はタイマー予約データに基づいて予約時刻までは断続的にバックアップ電池の充電のために電力供給を行なうように制御するので、確実に電池の充電がなされる。また、電子機器の動作中に電力供給が中断されることがないため、正常な動作が確実に達成できる。更に、主電源からの電力供給が充電のためと予約時刻以降の動作のためになされるので、システム全体としての消費電力が最小限になる等の効果を有する。
【００２２】
また、請求項６に係る発明のタイマー予約方法においては、主電源により充電可能なバ
ックアップ電池を備えた記憶部にタイマー予約データを記憶し、記録装置がセットトップボックスから主電源の電力供給を受けて記録動作を開始する。この電力供給に当たり、セットトップボックスは、タイマー予約データに基づいて予約時刻までは断続的にバックアップ電池の充電のために電力供給を行ない、予約時刻以降は継続して供給を行なうように制御する。そのため、以下の種々の効果を有する。
【００２３】
第一に、電池は予約時刻まで確実に充電がなされる。第二に、記録装置は予約時刻以降の動作中に電力供給が中断されることがないため、取り直しのできない番組、情報等の記録を途中で中断されてしまうという事故が生じない。第三に、同一のタイマー予約データが同時にセットトップボックスに供給されるので操作が簡単で確実になされる。第四に、主電源からの電力供給は、充電のためと予約時刻以降の記録のためになされ不用な時間帯には供給が停止されるので、システム全体としての消費電力が最小限になる等の効果を有する。
【発明を実施するための最良の形態】
【００２４】
本発明を実施するための最良の形態としては、以下に説明する実施例である。
【実施例】
【００２５】
本発明の実施例を図１〜図６によって説明する。図１は本発明の実施例を示すタイマー予約システムのブロック図、図２は図１における記録装置、セットトップボックス及びリモートコントロールの部分を示す斜視図、図３は記録装置、セットトップボックス及びリモートコントロールの部分を示すブロック図、図４は本発明の実施例における動作を示すタイムチャート、図５は本発明の実施例における動作を示すフローチャートである。
【００２６】
図１、図２においてタイマー予約システムを示すが、このタイマー予約システムは、タイマー予約を行うことができる電子機器である記録装置１と、制御機器としてのＢＳ／ＣＳ／地上波デジタル放送用のチューナであるセットトップボックス２と、受信画像のモニター３と、リモートコントローラ４とからなる。記録装置１は、チューナを内臓し、アナログテレビジョン放送波をアンテナ５で受信してモニター３でその画像を再生し視聴ができるようになっている。併せて、記録媒体に再生画像の記録が可能になっている。一方、セットトップボックス２でアンテナ6により受信されたデジタル放送波の画像は、モニター３で再生されて視聴できるようになっている。また、これらの受信操作及びタイマー予約による予約録画は直接又はリモートコントローラ4の操作によって行なうことができる。
【００２７】
７は屋内コンセントであり、セットトップボックス２の電源ケーブル２１の端に接続された主電源用のプラグ２２が差し込まれるものである。セットトップボックス２にはコンセント２３が設けられ、このコンセント２３には記録装置の電源ケーブル１１の端に接続された主電源用のプラグ１２が差し込まれるようになっている。
【００２８】
図３において実施例のブロック図を示すが、記録装置１は電源回路１３を有する。この電源回路１３は、プラグ１２をコンセント２３に差し込むことにより、主電源の電力がセットトップボックス２から供給され。記録装置１には記録機構部１４が設けられ、所定の記録がなされる。また記録装置１には、ＣＰＵからなる制御回路１５、リモートコントローラ４から発射された赤外線によるリモコンコードを受信する受信部１６が設けられている。また、制御回路１５には、リモコンデータによるタイマー予約データを記憶する記憶回路１７と、この記憶回路１７のバックアップ用電源として電源回路１３からの電力供給によって充電されるバックアップ電池1８とが設けられている。そして、電源回路１３は電力供給を受けているときには、その電力を記憶回路１７に供給すると共に、バックアップ電池１８を充電している。一方、電力供給が停止されると自動的にバックアップ電池１８から記憶回路１７に電力を供給するように切り替わる。
【００２９】
セットトップボックス２は電源ケーブル２１を介して電源回路２４に主電源から電力供給がなされるが、同時に常時オン状態にあるスイッチ回路２５を通してコンセント２３にも電力供給がなされている。スイッチ回路２５はＣＰＵからなる制御回路２６によってオン、オフの制御がなされる。制御回路２６にはリモートコントローラ４から発射された赤外線によるリモコンコードを受信する受信部２７が接続されている。このスイッチ回路２５と制御回路２６によって記憶装置1に対する主電源の電力供給を制御する制御部２８が形成されている。
【００３０】
制御回路２６は、受信部２７から供給されたタイマー予約データを演算処理し、設定された予約時刻までは定期的にスイッチ回路２５をオンとし、予約時刻以降の記録装置1の動作期間中はスイッチ回路２５のオン状態を継続する制御データを得るようになっている。この制御データは制御部２６で保持され、スイッチ回路２５をオン、オフ動作して記録装置１に主電源の電力供給がなされるようになっている。
【００３１】
更に詳細な制御データの説明を図４によって説明する。図４（Ａ）は記録装置１における録画の予約時刻を示し、この予約時刻は予約を設定した現時点ｔ０からみて時刻ｔ１に録画を開始し時刻ｔ２で終了する。図４（Ｂ）はスイッチ回路２５を作動させる制御データを示す。制御データは、現時点ｔ０から経過した時刻ｔ３はバックアップ電池１８が放電を仕切ってしまう前に充電を必要とする時刻と、その後の時刻ｔ３から時刻ｔ４の間で充電を完了するという内容である。この充放電の時刻は、予めバックアップ電池１８の特性を制御回路２６に設定条件として入力しておくことにより得られる。この充放電は繰り返されるが、時刻ｔ４から時刻ｔ5は放電期間であり、時刻ｔ５から時刻ｔ６が充電期間である。制御回路２６は制御データに基づいてスイッチ回路２５をオン、オフ制御するが、オフにする時刻ｔ６が時刻ｔ１以降になる場合がある。この場合は、制御データはスイッチ回路２５をオフとしない内容である。すなわち、記録装置１は録画中に主電源の電力供給が停止されない。
【００３２】
一方、録画開始の時刻が時刻ｔ１より遅く制御データによる設定の時刻ｔ6以降の時刻ｔ１ａにあるときは、スイッチ回路２５がオフの期間に相当する。しかし、制御データは時刻ｔ６ではオフとせずにオン状態を維持する内容とする。すなわち、記録装置１は録画開始時には主電源の電力供給がなされている。
【００３３】
次に、上述した本発明の実施例の構成による動作を図４のタイムチャート及び図５のフローチャートに基づいて説明する。テレビジョン放送の所望の時刻に所望の番組をタイマー予約で録画したい場合には、セットトップボックス２に対してプラグ２２をコンセント７に差込み主電源の電力供給を行なう。同時に、記録装置１に対してプラグ１２をコンセント２３に差し込んでセットトップボックス２から主電源の電力供給を行なう。この状態で記録装置１およびセットトップボックス2には主電源から電力が供給されている。
【００３４】
この状態において、ユーザは、ステップS１で示すようにリモートコントローラ４によりタイマー予約のデータをリモコンデータとして発光させ、記憶装置１の受信部１６で受信させ、その記憶回路１７に記憶させる。このようにしてタイマー予約の設定がなされると同時に、セットトップボックス１においては、その受信部２７でリモコンデータが受光され制御回路２６に供給される。制御回路２６は、ステップＳ２において、図４で示すように、受信部２７から供給されたタイマー予約データを演算処理し、設定された録画予約の時刻ｔ１までは定期的にスイッチ回路２５をオンとし、時刻ｔ１以降の記録装置1の動作期間中はスイッチ回路２５のオン状態を継続する制御データを得て保持する。
【００３５】
制御回路２６は、ステップＳ３で示すように、常にスイッチ回路２５をオンにするか否かの判別を行なっている。そして、内部カウンターによるスタートの時刻ｔ０から始まって時刻ｔ３に至るまではスイッチ回路２５のオフを継続する。時刻ｔ３に至るとステップＳ４で示すようにスイッチ回路２５をオンとする。このスイッチ回路２５のオンにより記録装置１のバックアップ電池１８は電力供給を受けて充電がなされる。次に、ステップＳ５において示すように、充電が完了してスイッチ回路２５をオフにする時刻ｔ４に至ったか否かの判別がなされる。時刻ｔ４に至ったと判別されると、ステップＳ６において録画モードになる時刻ｔ１との関係が判別される。この判別の結果、スイッチ回路２５をオフにしても記録装置１の録画モード中ではないときには、次にステップＳ７においてスイッチ回路２５をオフとしバックアップ電池１８への充電を完了する。そして、制御回路２６は再びステップＳ３における判別によりスイッチ回路２５をオンとしてバックアップ電池１８の充電を図る。
【００３６】
ステップＳ６において、スイッチ回路２５をオフとすべき時刻ｔ４が予約時刻ｔ１以降、若しくはオフ状態中に予約時刻ｔ１ａが到来してしまうと判別されると、ステップS８で示すように、制御回路２６はスイッチ回路２５をオフとせずにオンを継続する。そして、記録装置１への主電源の電力供給を行なってステップＳ９で示すように予約録画を実行させる。予約録画が終了する時刻ｔ３に至ると、通常のとおりに制御回路１５が録画を停止させると共に、電源回路１３からの電力供給を停止させる。
【００３７】
上述した実施例によれば、記憶装置１は、リモートコントローラ４から受信したタイマ
ー予約データが主電源により充電可能なバックアップ電池１８でもってバックアップされる記憶回路１７に記録保持され、予約時刻に主電源から電力供給を受けて動作を開始するする。一方、記録装置１はセットトップボックス２から主電源の電力供給を受ける。この電力供給に当たり、セットトップボックス２は、リモートコントローラ４から記憶装置１に送信されたタイマー予約データと同一のデータを受信部２７により受信し、制御部２６において制御データを作成する。この制御データは、バックアップ電池１８が放電仕切ってしまう前に充電のための電力供給を行なうタイミングでスイッチ回路２５をオンとし、充電が完了するとオフとするデータである。そして、予約時刻以降ではスイッチ回路２５をオン状態のままとして継続して電力供給を行なうデータである。
【００３８】
そのため、バックアップ電池１８は、セットトップボックス２から予約時刻まで確実に電力供給を受けて充電がなされる。また、記録装置１は予約時刻以降の動作中にはスイッチ回路２５がオン状態を継続するので電力供給が中断されて記録を停止してしまうことがない。また、記録装置１で受信されたものと同一のタイマー予約データが遠隔的に同時にセットトップボックス２に供給されるので、操作が簡単で確実な制御データの作成がなされる。また、記録装置１に対する主電源からの電力供給は、充電のためと予約時刻以降の記録のためになされて不用な時間帯には供給が停止されるので、システム全体としての消費電力が最小限になる。
【００３９】
尚、上述した本発明の実施例においては、電子機器として記録装置１を適用したが,これに限定されることなくタイマー予約される各種の電気製品、事務機器等が適用できる。また、記録装置１はビデオテープレコーダ、光ディスク記録装置、ハードディスク記録装置等の種々のものが適用できる。
【００４０】
尚また、上述した本発明の実施例においては、制御機器としてセットトップボックス２を適用したが、これに限定されることなく各種の電子機器に主電源の電力供給を行なうように形成した、例えばサーバ等に適用することができる。
【００４１】
尚更に、本発明の実施例においては、セットトップボックス２はタイマー予約データをリモートコントローラ４から受信部２７で受信するようにしたが、記録装置１の受信部１６からデータ回線を用いて制御回路２７に供給するようにしてもよい。また、タイマー予約データはリモートコントローラ４を用いることなく記録装置１で直接入力するようにしてもよい。
【図面の簡単な説明】
【００４２】
【図１】図１は、本発明の実施例を示すタイマー予約システムのブロック図である。
【図２】図２は、図１における本発明の実施例における記録装置、セットトップボックス及びリモートコントロールの部分を示す斜視図である。
【図３】図３は、図1における本発明の実施例における記録装置、セットトップボックス及びリモートコントロールの部分を示すブロック図である。
【図４】図４は、本発明の実施例における動作を示すタイムチャートである。
【図５】図５は、本発明の実施例における動作を示すフローチャートである。
【符号の説明】
【００４３】
１        記録装置
２        セットトップボックス
３        モニター
４        リモートコントローラ
７        コンセント
１２      プラグ
１３      電源回路
１４      記録機構部
１５      制御回路
１６      受信部
１７      記憶回路
１８      バックアップ電池
２２      プラグ
２３      コンセント
２４      電源回路      
２５      スイッチ回路
２６      制御回路
２７      受信部    
２８      制御部
【図１】
2005347994.tif 000003
【図２】
2005347994.tif 000004
【図３】
2005347994.tif 000005
【図４】
2005347994.tif 000006
【図５】
2005347994.tif 000007